(57)【要約】【課題】食品に対して液状調味料を適量つけることが可能な容器を提供する。【解決手段】液状調味料を収容する容器本体１と、該本体の所定箇所に設けられ、収容された液状調味料を流出可能な流出口４とを備えてなる容器であって、流出口から容器本体の外方に向けて舌状に延出した舌状部５ａを少なくとも有するとともに、該舌状部の延出端５ｂへと液状調味料を少量ずつ誘導する誘導手段（凸状部５１及び上面５１ａ）を少なくとも舌状部の上面に有する少量誘導部５と、容器本体内で流出口方向へと上り傾斜状に設けられ、前記少量誘導部と連続するとともに、前記誘導手段へと移動する液状調味料の移動量を調整する調整手段（溜まり部６１及び貯留部６２）を上面に有する移動量調整部６とを備えており、誘導手段により誘導された液状調味料は、少量誘導部の延出端から対象物に塗布される。【選択図】図１
0003133821.tif 000002
【実用新案登録請求の範囲】
【請求項１】
液状調味料を収容する容器本体と、該本体の所定箇所に設けられ、収容された液状調味料を流出可能な流出口とを備えてなる容器であって、
流出口から容器本体の外方に向けて舌状に延出した舌状部を少なくとも有するとともに、該舌状部の延出端へと液状調味料を少量ずつ誘導する誘導手段を少なくとも舌状部の上面に有する少量誘導部と、
容器本体内で流出口方向へと上り傾斜状に設けられ、
前記少量誘導部と連続するとともに、前記誘導手段へと移動する液状調味料の移動量を調整する調整手段を上面に有する移動量調整部とを備えており、誘導手段により誘導された液状調味料は、少量誘導部の延出端から対象物に塗布されることを特徴とする容器。
【請求項２】
少量誘導部は、流出口から容器本体の内方に向けて延在していることを特徴とする請求項１に記載の容器。
【請求項３】
移動量調整部の調整手段は、少量誘導部の誘導手段に連続し、液状調味料を一時的に溜める溜まり部と、該溜まり部に連続し、液状調味料を貯留する貯留部とを備え、
貯留部は、貯留部傾斜面と容器本体の底面と該容器本体の内壁面とで囲まれて構成され、
溜まり部は、少量誘導部から連続した溜まり部傾斜面と、該溜まり部傾斜面と貯留部傾斜面とを連結する連結面とで形成され、
貯留部傾斜面の傾斜角度は、溜まり部傾斜面の傾斜角度よりも大きく設定されていることを特徴とする請求項１又は請求項２に記載の容器。
【請求項４】
少量誘導部は、舌状部の延出端に向かって所定の角度を成しており、該少量誘導部の角度は、溜まり部傾斜面の傾斜角度よりも小さく設定されていることを特徴とする請求項３に記載の容器。
【請求項５】
移動量調整部の調整手段には、容器本体に収容された液状調味料が少量誘導部の誘導手段に向けて流出する際の流出方向を横断する方向に沿って窪ませた少なくとも１つの凹溝が設けられていることを特徴とする請求項１又は請求項２に記載の容器。
【請求項６】
少量誘導部の誘導手段は、少なくとも舌状部の上面全体にわたって備えられるとともに、舌状部の延出端まで液状調味料を誘導する複数の起伏で形成されていることを特徴とする請求項１〜請求項５のいずれかに記載の容器。
【請求項７】
複数の起伏は、舌状部の上面から突出した複数の凸状部と、該凸状部間の舌状部の上面とで形成されていることを特徴とする請求項６に記載の容器。
【請求項８】
少量誘導部の延出端は、対象物の幅に略一致した幅広形状を成していることを特徴とする請求項１〜請求項７のいずれかに記載の容器。
【請求項９】
流出口は、容器本体の周壁を少量誘導部の上面から周壁の上縁まで切欠いて形成されていることを特徴とする請求項１〜請求項８のいずれかに記載の容器。
【請求項１０】
流出口は、容器本体の周壁の外面から内面を貫通した一つ又は複数の孔であることを特徴とする請求項１〜請求項８のいずれかに記載の容器。
【考案の詳細な説明】
【技術分野】
【０００１】
本考案は、例えば、握り鮨などの食品の上面に、液状の調味料を適量つけることが可能な容器に関する。
【背景技術】
【０００２】
従来は、例えば、握り鮨のように液状の調味料、例えば醤油を少量つけて食する食品は、箸等で摘んで、予め醤油皿に貯めた醤油に浸けて食していた。その際、醤油皿の醤油が食品につく量は、醤油に食品が浸される範囲と時間によって異なるため、予想外に多量の醤油がついてしまい、食品の持ち味を損なう場合が多かった。
【０００３】
また、握り鮨のような食品は、俵状の米部の上面を覆うように鮨ネタが乗せられているので、鮨ネタのみに醤油をつけた方が、握り鮨の持ち味が引き立てられ、美味に感じるものである。このため、醤油皿で醤油をつける場合には、握り鮨を上下逆さまにする必要があり、その結果、握り鮨がばらばらに崩れてしまう場合があった。
【０００４】
そこで、特許文献１には、底面の周りに縁を設けた浅底の皿の該縁に注ぎ口を備え、皿を持ち上げて傾斜させることにより、皿に溜めた醤油を該注ぎ口から握り鮨の上部にかけることが可能な技術が提案されている。
しかし、通常、皿の内表面は滑らかなに形成されているので、皿を傾斜させる程度によっては、皿に溜めた全ての醤油が、その滑らかな内表面を傾斜の低い方へと一気に集まってしまう。そうなると、集まった醤油が、注ぎ口から勢い良く流出してしまうため、過剰の醤油が握り鮨にかかってしまうといったような問題があった。
【０００５】
【特許文献１】特開２００２−２７２５８３号公報
【考案の開示】
【考案が解決しようとする課題】
【０００６】
本考案は、上記問題点を解決するためになされており、その目的は、食品の上面に対して液状調味料を適量つけることが可能な容器を提供することである。
【課題を解決するための手段】
【０００７】
上記課題を達成するために、本考案が成した技術的手段は、液状調味料を収容する容器本体と、該本体の所定箇所に設けられ、収容された液状調味料を流出可能な流出口とを備えてなる容器であって、流出口から容器本体の外方に向けて舌状に延出した舌状部を少なくとも有するとともに、該舌状部の延出端へと液状調味料を少量ずつ誘導する誘導手段を少なくとも舌状部の上面に有する少量誘導部と、容器本体内で流出口方向へと上り傾斜状に設けられ、前記少量誘導部と連続するとともに、前記誘導手段へと移動する液状調味料の移動量を調整する調整手段を上面に有する移動量調整部とを備えており、誘導手段により誘導された液状調味料は、少量誘導部の延出端から対象物に塗布されることを特徴とする容器としたことである。その少量誘導部は、流出口から容器本体の内方に向けて延在している場合もある。また、移動量調整部の調整手段は、少量誘導部の誘導手段に連続し、液状調味料を一時的に溜める溜まり部と、該溜まり部に連続し、液状調味料を貯留する貯留部とを備え、貯留部は、貯留部傾斜面と容器本体の底面と該容器本体の内壁面とで囲まれて構成され、溜まり部は、少量誘導部から連続した溜まり部傾斜面と、該溜まり部傾斜面と貯留部傾斜面とを連結する連結面とで形成され、貯留部傾斜面の傾斜角度は、溜まり部傾斜面の傾斜角度よりも大きく設定されている場合もある。また、少量誘導部は、舌状部の延出端に向かって所定の角度を成しており、該少量誘導部の角度は、溜まり部傾斜面の傾斜角度よりも小さく設定されている場合もある。
【０００８】
また、移動量調整部の調整手段には、容器本体に収容された液状調味料が少量誘導部の誘導手段に向けて流出する際の流出方向を横断する方向に沿って窪ませた少なくとも１つの凹溝が設けられている場合もある。
上述した少量誘導部の誘導手段は、少なくとも舌状部の上面全体にわたって備えられるとともに、舌状部の延出端まで液状調味料を誘導する複数の起伏で形成されていても良い。その複数の起伏は、舌状部の上面から突出した複数の凸状部と、該凸状部間の舌状部の上面とで形成されていても良い。さらに、少量誘導部の延出端は、対象物の幅に略一致した幅広形状を成していても良い。また、流出口は、容器本体の周壁を少量誘導部の上面から周壁の上縁まで切欠いて形成されている場合もあり、容器本体の周壁の外面から内面を貫通した一つ又は複数の孔である場合もある。
【考案の効果】
【０００９】
本考案によれば、食品に対して液状調味料を適量つけることが可能な容器を提供することができるようになった。
【考案を実施するための最良の形態】
【００１０】
以下、食品に対して液状調味料を適量つけることが可能な容器の一実施の形態について、添付図面に基づいて説明する。なお、本実施形態は本考案の一例にすぎず、何等これらに限定して解釈されるものではなく、本考案の範囲内で設計変更可能である。
【実施例１】
【００１１】
本実施例による容器は、図１（ａ），（ｂ），（ｃ）に示すように、所定量の液状調味料を収容する容器本体１と、その容器本体１の所定箇所に設けられ、収容された液状調味料を容器の外部へと流出させることが可能な流出口４と、該液状調味料を流出口４に向けて少量ずつ誘導する少量誘導部５と、該少量誘導部５へ移動させる液状調味料の移動量を容器本体１の内部で調整する移動量調整部６とで構成されている。
【００１２】
容器本体１は、底部２と、該底部２の周縁から立ち上げられた周壁３とで囲まれた内部に液状調味料（例えば醤油）を収容することが可能に構成されている。この場合、容器本体１の周壁３の上縁３１には略楕円形の開口３２が開放されており、その短径は略３５ｍｍ〜５５ｍｍに設定されている。
なお、長径については、例えば、流出口４の位置や、少量誘導部５及び移動量調整部６の形状や大きさなどに応じて任意に設定されるため、ここでは特に数値限定しない。
また、周壁３は、その上縁３１から底部２に向かって丸みを帯びた尻すぼまり形状を成しているが、流出口４側の周壁３は、上縁３１から底部２にわたってストレートな平面に形成された平面部３２ａとなっている。
さらに、流出口４は、その平面部３２ａの上部側を上縁３１まで切り欠いて形成され、本実施形態では、一例として略四角形の開口となっている。
【００１３】
少量誘導部５は、容器本体１内部から流出口４を越えて延出しており、流出口４から容器本体１の外方に向けて延出した部分には、舌状の舌状部５ａが設けられている。
舌状部５ａは、流出口４の幅に一致した幅寸法を有する板状を成し、容器本体１を水平面上に載置した状態において、所定の角度で上り傾斜させた形状を成している。その傾斜角度は、舌状部５ａの延出端５ｂに向けて比較的緩やかな上り勾配になっている。なお、該舌状部５ａの延出端５ｂの端面５ｃには、幅方向に凹凸が形成されている。
舌状部５ａの延出端５ｂの幅寸法は、液状調味料（例えば醤油）が塗布される対象物の幅寸法と略一致するように設定されており、本実施例では、一例として、対象物である握り鮨の幅寸法である、略２０ｍｍ〜２５ｍｍの寸法で幅広に設定されている。
【００１４】
一方、容器本体１内部の少量誘導部５は、流出口４から容器本体１の内方に向けて下り傾斜状を成して延在し、後述する移動量調整部６に連続している。
このような、少量誘導部５には、舌状部５ａの延出端５ｂに向けて液状調味料を少量ずつ誘導する誘導手段が備えられている。
具体的に説明すると、誘導手段は、舌状部５ａの上面を含む少量誘導部５の上面５１ａ全体にわたって、複数の起伏で形成されている。この場合、該複数の起伏は、上面５１ａから略円錐状に突出した複数の凸状部５１と、該凸状部５１の間に形成される上面５１ａとで形成されている。なお、上面５１ａは、起伏のない滑らかな形状を成している
なお、図示を省略するが、舌状部５ａの両側端部には、当該舌状部５ａの上面に誘導された液状調味料を延出端５ｂに向けて案内するためのガイド部を備えるようにしても良い。この場合、ガイド部としては、例えば、舌状部５ａの両側端部から所定の高さだけ立ち上げたガイド壁を適用すれば良い。
【００１５】
移動量調整部６は、その上面が、少量誘導部５の上面５１ａ方向へと上り傾斜状に形成され、例えば、容器本体１の略中央で、前記上面５１ａと連続するとともに、前記誘導手段へと移動する液状調味料の移動量を調整する調整手段を有する。
移動量調整部６の調整手段は、少量誘導部５の誘導手段（前記複数の起伏）に連続し、液状調味料を一時的に溜める溜まり部６１と、該溜まり部６１に連続し、液状調味料を貯留する貯留部６２とを備える。
【００１６】
貯留部６２は、容器本体１の底面２ａと、該底面２ａから連続して立ち上げられた貯留部傾斜面６５及び容器本体１の内壁面３ａとで囲まれた領域に構成されている。
溜まり部６１は、少量誘導部５から連続した溜まり部傾斜面６３と、該溜まり部傾斜面６３と貯留部傾斜面６５とを連結する連結面６４とを備えており、溜まり部傾斜面６３及び連結面６４は容器本体の内壁面３ａに連続している。これにより、溜まり部６１は、該溜まり部傾斜面６３と、連結面６４、容器本体１の内壁面３ａとで囲まれた領域に構成されることになる。
このような構成において、貯留部傾斜面６５の傾斜角度は、溜まり部傾斜面６３の傾斜角度よりも大きく設定されるとともに、前記少量誘導部５の角度は、溜まり部傾斜面６３の傾斜角度よりも小さく設定されている。本実施例では、一例として、貯留部傾斜面６５の傾斜角度は略８０度に設定され、たまり部傾斜面６３の傾斜角度は略６０度に設定され、少量誘導部５の傾斜角度は略１５度に設定され、連結面６４は略水平に設定されている。
【００１７】
なお、本実施例では、容器本体１は陶器で成形されているとともに、少量誘導部５と移動量調整部６が該容器本体１と一体成形されている。また、容器本体１及び少量誘導部５と移動量調整部６は、液状調味料の移動方向に沿って左右対称形に形成されている。さらに、内周面３ａと少量誘導部５及び移動量調整部６との接続部を曲面状（アール状）に連続させている。これにより、容器本体１の全体的な強度を向上させることができるので、長期にわたって連続して使用することができる。特に、上記接続部を曲面状に形成したことにより、残留した液状調味料の洗浄が容易になるので、容器本体１内部を常に衛生的に保つことができる。
【００１８】
次に、本実施形態による容器の使用形態を説明する。
まず、容器の開口３２から、容器本体１の貯留部６２に液状調味料（例えば醤油）Ｓを注ぎ入れて収容する。このとき、液状調味料Ｓは、１回の食事（例えば握り鮨セット）で食品に塗布して使い切る程度の量が収容されることが好ましい。例えば、本実施例では、貯留部６２の深さの半分程度の深さになるまで液状調味料Ｓを注ぎいれる。（図２（ａ）参照）。
液状調味料Ｓを食品（例えば握り鮨）の上面につける場合には、図２（ｂ）に示すように、容器本体１を流出口４の方向に傾ける。
【００１９】
この場合、貯留部６２に貯留された液状調味料Ｓは、貯留部傾斜面６５と底部２ａとで形成される貯留部６２の窪みに滞留する液状調味料Ｓ１と、溜まり部傾斜面６３と連結面６４とで形成される溜まり部６１の窪みに滞留する液状調味料Ｓ２とに分割される。
このとき、貯留部傾斜面６５の傾斜角度は、溜まり部傾斜面６３の傾斜角度よりも大きく設定されているので、容器本体１を流出口４の方向に傾けた状態では、貯留部傾斜面６５よりも溜まり部傾斜面６３の方が水平に近い角度となる。
【００２０】
この状態では、溜まり部６１の窪みに滞留する液状調味料Ｓ２は、溜まり部傾斜面６３と少量誘導部５との接続角部６６を乗り越えて少量誘導部５へ円滑に移動可能であっても、貯留部６２の窪みに滞留する液状調味料Ｓ１は、貯留部傾斜面６５と連結面６４との接続角部６７を乗り越えて溜まり部６１の窪みに移動することが容易ではない。すなわち、貯留部６２の液状調味料Ｓ１は少しずつ溜まり部６１に移動することとなり、溜まり部６１に移動することが許された液状調味料のみが少量誘導部５へと移動することが許される。従って、溜まり部６１と貯留部６２は、貯留部６２の大量の液状調味料Ｓ１が勢い良く少量誘導部５へ移動することを規制する調整手段として作用する。
【００２１】
さらに、溜まり部６１の液状調味料Ｓ２から円滑に少量誘導部５へ移動した液状調味料Ｓ３は、少量誘導部５の凸状部５１によって、流出の勢いが弱められるとともに、該凸状部５１間の舌状部５ａの滑らかな上面５１ａを分散しながら伝わることにより、少量誘導部５の上面全体に広がりながら、流出口５を通過して、容器本体１の外方の舌状部５ａへ導かれ、その延出端５ｂへと誘導される。このとき、舌状部５ａの両側端部には、それぞれ、側端から立ち上がったガイド部が備えられているので、液状調味料が舌状部５ａの両側端部からこぼれ落ちることがない。
【００２２】
舌状部５ａの延出端５ｂに誘導された液状調味料は、延出端５ｂの端面５ｃから少量ずつ滴下する（Ｓ４参照）。また、端面５ｃには、凹凸が形成されているので、液状調味料Ｓが端面５ｃを伝って一方に偏ってしまうことがなく、食品（例えば握り鮨）の幅寸法に合わせて形成された舌状部５ａの全幅にわたって均等に液状調味料Ｓ４が滴下する。
これにより、食品（例えば握り鮨）の上面に適量の液状調味料（例えば醤油）を少しずつ塗布することができる。
なお、本実施例では、少量誘導部５及び移動量調整部６は上り傾斜状に連続して形成されているので、容器本体１を水平に戻した場合には、余った液状調味料は、容器本体１の底方向へと逆流して再び貯留され、舌状部５ａの延出端５ｂから垂れることがない。
【００２３】
また、本実施例による容器では、食事をする者が容器を傾けて、適量の液状調味料Ｓを舌状部５ａの延出端５ｂに誘導して食品の上面に塗布するので、液状調味料が、貯留部６２から溜まり部５を経て、少量誘導部５の起伏によって、少量誘導部５の上面全体に広がりながら舌状部５ａの延出端５ｂへと誘導される過程を眺めながら、食事を楽しむことができる。
本実施形態では、容器を陶器で成形したが、これに限定されず、容器の材質は、容器の使用形態や食品を提供する状況に合わせて自由に選択可能である。例えば、ガラスや木、または、合成樹脂を材料として作成しても良い。容器をこのような材質で作成しても上述した効果を得ることができる。
【００２４】
本実施例の少量誘導部５の誘導手段（複数の起伏）は、一例として複数の凸状部５１と、該上面５１ａとで形成したが、液状調味料が少量誘導部５の少なくとも舌状部５ａの上面全体に広がって延出端５ｂへと誘導される構成であれば他の構成としても良い。例えば、誘導手段は、複数の溝であっても良い。
例えば、図３（ａ）に示すように、少量誘導部５の舌状部５ａの延出端５ｂに向けて複数の溝５２が形成されていても良い。この場合であっても、液状調味料は、上面５１ａ全体に広がりながら該延出端５ｂに向けて誘導されることができる。
また、少量誘導部５の延出端５ｂに向けて形成した複数の溝５２に加えて、その溝５２と直行して横溝５３を加えて賽の目状に配したり（図３（ｂ）参照）、賽の目状に配した複数の溝５４，５５を傾斜させて配したり（図３（ｃ）参照）しても良い。さらに、Ｖ字形の複数の溝５６，５７を図３（ｄ）に示すように、千鳥状に繰り返して形成しても良い。これらの場合にも、液状調味料が少量誘導部５の幅方向に広がるので、延出端５ｂの幅方向に均等に液状調味料を誘導することができる。
【００２５】
本実施形態では、移動量調整部６と少量誘導部５が容器本体１の内部の略中央で、少量誘導部５の下端５ｄと接続するように形成したが、これに限定されず、移動量調整部６の上面と少量誘導部５の上面が上り傾斜状に連続する限りにおいて、他の位置で接続していても良い。例えば、図４（ａ）に示すように、移動量調整部６と少量誘導部５が流出口４で接続され、少量誘導手段が舌状部５ａのみに設けられていても良い。この場合であっても、図４（ｂ）に示すように、移動量調整部６の溜まり部６１と貯留部６２（調整手段）によって、液状調味料Ｓ１が少量誘導部５に勢い良く移動することを規制するとともに、溜まり部６１に溜まった液状調味料Ｓ２を少量誘導部５の複数の起伏（誘導手段）によって、舌状部５ａの上面全体に広げながら延出端５ｂに誘導して、少量ずつ適量を食品の上面に塗布することができる。
【実施例２】
【００２６】
上述した実施例１では、移動量調整部６の調整手段を溜まり部６１と貯留部６２で構成したが、本実施例では、移動量調整部６が凹溝で構成されている点に特徴を有する。その他の構成及び作用効果については上述の実施例１と同様であるので、ここでは、その特徴部分を中心に説明し、その他の構成については同一の符号を用いることでその説明を省略する。
本実施例による移動量調整部６は、調整手段として、容器本体１に収容された液状調味料が少量誘導部５の誘導手段（複数の起伏）に向けて流出する際の流出方向を横断する方向に沿って窪ませた少なくとも１つの凹溝７が設けられている。
具体的には、図６（ａ）に示すように、凹溝７は、移動量調整部６の上面に、上り傾斜状に４つのアール状の凹溝７１，７２，７３，７４が形成されている。
また、少量誘導部５は、流出口４から容器本体１の内方に向けて下り傾斜状の弧を描いて延在し、その下端が前記凹溝７４と連続している。
この場合、移動量調整部６の上り傾斜の角度は、少量誘導部５の下端側の傾斜角度よりも小さく形成されている。
【００２７】
次に、本実施例による容器の使用形態を説明する。
まず、容器の開口３２から、容器本体１の内部に液状調味料（例えば醤油）Ｓを注ぎ入れて収容する。このとき、液状調味料Ｓは、移動量調整部６の凹溝７（７１，７２，７３，７４）が没する程度の量に収容することが好ましい（図６（ａ）参照）。
液状調味料を食品（例えば握り鮨）の上面につける場合には、図６（ｂ）に示すように、容器を注ぎ口４の方向に傾ける。このとき、凹溝７１，７２，７３の縁部７１ａ，７２ａ，７３ａが液状調味料の液面から突出して、凹溝７１，７２，７３に溜まった液状調味料Ｓ１，Ｓ２，Ｓ３が少量誘導部５へと移動することを規制して、調整手段として作用する。その結果、凹溝７４に収容される液状調味料Ｓ４は少量となる。
【００２８】
この場合、凹溝７４に収容された少量の液状調味料Ｓ４だけが、少量誘導部５への移動を許され、その少量の液状調味料Ｓ４の一部が、少量誘導部５上面に配された多数の凸状部５１によって、その勢いを弱められるとともに、凸状部５１の間の滑らかな面５１ａによって、少量誘導部５の上面全体に広がって移動する。
少量誘導部５の上面５１ａを移動した液状調味料は流出口４を通過して、舌状部５ａの延出端５ｂへと誘導され（図中Ｓ５参照）、延出端５ｂの端面５ｃから少量ずつ滴下し（図中Ｓ６参照）、食品の上面に塗布される。
【００２９】
なお、容器内の液状調味料Ｓが少なくなった場合であっても、残った少量の液状調味料Ｓは、凹溝７４に収容されるので容易に少量誘導部５に誘導される。これにより、液状調味料Ｓが容器の奥底に戻ってしまうことがなく、液状調味料Ｓを最後まで使用することができる。
また、移動量調整部６の凹溝７は、本実施形態では、液状調味料の流出方向（少量誘導部５への移動）を横断する方向に沿って窪ませて設けたが、凹溝７の形成方向はこれに限定されず、他の向きであっても良い。例えば、図示を省略するが、凹溝７を少量誘導部５の方向に膨らんだ円弧状に形成しても良い。
【００３０】
上述の各実施例では、流出口４は、容器本体１の周壁３を少量誘導部５の上面から周壁３の上縁３１まで切欠いて、略四角形の開口に形成したが、液状調味料が容器本体１の内部から流出することが可能であれば他の形状であっても良い。例えば、容器本体１の周壁３の外面から内面を貫通した一つ又は複数の孔で形成されていても良い。具体的には、図７に示すように、容器本体１の平面部３２ａの上部側に、該平面部３２ａの外面から内面を貫通した３つの孔４１，４２，４３を設け、その孔から液状調味料が流出しても良い。その場合には、舌状部５ａは、３つの孔４１，４２，４３の下端から外方に向けて延出すれば良い。
【００３１】
また、容器本体１の高さは、容器本体内に液状調味料Ｓが収容可能であって、移動量調整部６と少量誘導部５とを連結して備えることができれば良いので、特に限定しない。具体的には、前述した各実施例のように、容器本体１の底部２と、その底部２の周縁から立ち上げられた周壁３とで、所謂お猪口状に形成されていても良く、或いは、図８に示すように平皿状に形成されていても良い。
容器本体１が平皿状に形成された場合であっても、少量誘導部５は流出口４を越えて延出し、その少量誘導部５には、舌状部５ａの延出端５ｂに向けて液状調味料を少量ずつ誘導する誘導手段５１が備えられる。また、移動量調整部６の調整手段は、少量誘導部５の誘導手段（前記複数の起伏）に連続し、液状調味料を一時的に溜める溜まり部６１と、該溜まり部６１に連続し、液状調味料を貯留する貯留部６２とを備えられるほか、図８（ａ）及び（ｂ）に、前述した実施例１と同様の符号で示すような各構成を備える。また、移動量調整部６は、実施例２と同様の構成としても良い。
これにより、食品（例えば握り鮨）の上面に適量の液状調味料（例えば醤油）を少しずつ塗布することができる。
【図面の簡単な説明】
【００３２】
【図１】容器の第１実施例を示す説明図であり、（ａ）は容器の斜視図、（ｂ）は容器の平面図、（ｃ）は（ｂ）のＡ−Ａ線断面図である。
【図２】容器の使用形態を示す説明図であり、（ａ）は、容器を水平にして液状調味料を収容した状態を示す断面図、（ｂ）は、容器を流出口の方向に傾けて液状調味料を食品に塗布する状態を示す断面図である。
【図３】誘導手段の他の例を示す説明図であり、（ａ）は、舌状部の延出端に向けて複数の溝を形成した場合を示す平面図、（ｂ）は、（ａ）に横溝を加えて賽の目状に配した場合を示す平面図、（ｃ）は、賽の目状に配した複数の溝を傾斜させて配した場合を示す平面図、（ｄ）は、Ｖ字形の複数の溝を千鳥状に繰り返して形成した場合を示す平面図である。
【図４】少量誘導部と移動量調整部が流出口で連続している場合を示す説明図であり、（ａ）は、容器を水平にして液状調味料を収容した状態を示す断面図、（ｂ）は、容器を流出口の方向に傾けて液状調味料を食品に塗布する状態を示す断面図である。
【図５】容器の第２実施例を示す説明図であり、（ａ）は容器の斜視図、（ｂ）は容器の平面図である。
【図６】第２実施例による容器の使用形態を示す説明図であり、（ａ）は、容器を水平にして液状調味料を収容した状態を示す断面図、（ｂ）は、容器を流出口の方向に傾けて液状調味料を食品に塗布する状態を示す断面図である。
【図７】流出口の他の形態を示す斜視図である。
【図８】容器の変形例を示す説明図であり、（ａ）は容器の斜視図、（ｂ）は容器断面図である。
【符号の説明】
【００３３】
１  容器本体
４  流出口
５  少量誘導部
５ａ  舌状部
５ｂ  延出端
６  移動量調整部
５１  凸状部
５１ａ  上面
６１  溜まり部
６２  貯留部
【図１】
0003133821.tif 000003
【図２】
0003133821.tif 000004
【図３】
0003133821.tif 000005
【図４】
0003133821.tif 000006
【図５】
0003133821.tif 000007
【図６】
0003133821.tif 000008
【図７】
0003133821.tif 000009
【図８】
0003133821.tif 000010